【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
表示手段を備えた遊技台であって、
前記表示手段は、予告アイコンを表示可能な手段であり、
予告アイコンは、先読み予告として表示される場合があるアイコンであり、
アイコン変化演出を実行可能であり、
前記アイコン変化演出は、予告アイコンのうちの或る予告アイコン（以下、「第一の予告アイコン」という。）を、予告アイコンのうちの該第一の予告アイコンとは別の或る予告アイコン（以下、「第二の予告アイコン」という。）に変化させる場合がある演出である、
ことを特徴とする遊技台。
【請求項２】
請求項１に記載の遊技台であって、
前記第一の予告アイコンと前記第二の予告アイコンのうちの該第一の予告アイコンのみが消化された装飾図柄の変動表示よりも、該第二の予告アイコンが消化された装飾図柄の変動表示の方が、最終的に大当り図柄態様で確定表示されやすい、
ことを特徴とする遊技台。
【請求項３】
請求項１又は２に記載の遊技台であって、
前記アイコン変化演出が行われなくても前記第二の予告アイコンの表示が開始される場合がある、
ことを特徴とする遊技台。
【請求項４】
請求項１乃至３のうちいずれか一項に記載の遊技台であって、
図柄変動表示の作動が保留されている数に応じた数の保留アイコンを表示することで保留数を報知可能であり、
予告アイコンが表示される表示領域（以下、「第一の表示領域」という。）に保留アイコンが表示されることがない、
ことを特徴とする遊技台。
【請求項５】
請求項４に記載の遊技台であって、
保留アイコンが表示される表示領域（以下、「第二の表示領域」という。）は、前記第一の表示領域から離間した表示領域である、
ことを特徴とする遊技台。
【請求項６】
請求項５に記載の遊技台であって、
前記第一の表示領域は、装飾図柄の確定表示が表示される表示領域（以下、「第三の表示領域」という。）より上方に配置された表示領域であり、
前記第二の表示領域は、前記第三の表示領域よりも下方に配置された表示領域である、
ことを特徴とする遊技台。
【請求項７】
請求項１乃至６のうちいずれか一項に記載の遊技台であって、
一の装飾図柄の変動表示（以下、「或る装飾図柄の変動表示」という。）において、複数の予告アイコンが表示されている場合がある、
ことを特徴とする遊技台。
【請求項８】
請求項７に記載の遊技台であって、
前記或る装飾図柄の変動表示において、複数の予告アイコンが消化される場合がある、
ことを特徴とする遊技台。
【請求項９】
請求項７又は８に記載の遊技台であって、
前記或る装飾図柄の変動表示において、複数の予告アイコンのうちの一の予告アイコンのみが消化される場合がある、
ことを特徴とする遊技台。
【請求項１０】
請求項１乃至９のうちいずれか一項に記載の遊技台であって、
予告アイコンが消化されると種類に応じた演出が開始される場合がある、
ことを特徴とする遊技台。
【請求項１１】
請求項１乃至１０のうちいずれか一項に記載の遊技台であって、
前記遊技台は、ぱちんこ機である、
ことを特徴とする遊技台。
【手続補正２】
【補正対象書類名】明細書
【補正対象項目名】０００７
【補正方法】変更
【補正の内容】
【０００７】
上記目的を解決する本発明の遊技台は、
表示手段を備えた遊技台であって、
前記表示手段は、予告アイコンを表示可能な手段であり、
予告アイコンは、先読み予告として表示される場合があるアイコンであり、
アイコン変化演出を実行可能であり、
前記アイコン変化演出は、予告アイコンのうちの或る予告アイコン（以下、「第一の予告アイコン」という。）を、予告アイコンのうちの該第一の予告アイコンとは別の或る予告アイコン（以下、「第二の予告アイコン」という。）に変化させる場合がある演出である、
ことを特徴とする。
【手続補正３】
【補正対象書類名】明細書
【補正対象項目名】１３７０
【補正方法】変更
【補正の内容】
【１３７０】
また、『  前記遊技台は、ぱちんこ機［例えば、パチンコ機１００等］である、
ことを特徴とする遊技台。』
についても説明した。
また、以上の記載では、
『  表示手段［例えば、装飾図柄表示装置２０８等］を備えた遊技台であって、
前記表示手段は、予告アイコン［例えば、図１８（ａ）、同図（ｂ）に示される各予告アイコン、図７２（ｄ）に示される各予告アイコン等］を表示可能な手段であり、
予告アイコンは、先読み予告として表示される場合があるアイコンであり、
アイコン変化演出［例えば、図３７（８ｋ）〜同図（９ｋ）に示す、ＤＪのキャラクタＢＹにより、予告アイコンを上書きする演出等］を実行可能であり、
前記アイコン変化演出は、予告アイコンのうちの或る予告アイコン（以下、「第一の予告アイコン［例えば、第１の殿様のアイコンＩ１等］」という。）を、予告アイコンのうちの該第一の予告アイコンとは別の或る予告アイコン（以下、「第二の予告アイコン［例えば、第３の殿様のアイコンＩ３等］」という。）に変化させる場合がある演出である、
ことを特徴とする遊技台。』
について説明した。
また、『  前記第一の予告アイコンと前記第二の予告アイコンのうちの該第一の予告アイコンのみが消化された装飾図柄の変動表示よりも、該第二の予告アイコンが消化された装飾図柄の変動表示の方が、最終的に大当り図柄態様で確定表示されやすい、
ことを特徴とする遊技台。』
についても説明した。
また、『  前記アイコン変化演出が行われなくても前記第二の予告アイコンの表示が開始される場合がある［例えば、図３６（８ａ）〜同図（９ａ）に示すように、第３の殿様の予告アイコンＩ３を予告アイコン表示領域２８５に向けて投げつける演出表示により第３の殿様の予告アイコンＩ３が予告アイコン表示領域２８５に表示開始されている等］、
ことを特徴とする遊技台。』
についても説明した。
また、『  図柄変動表示の作動が保留されている数に応じた数の保留アイコン［例えば、図３７（８ｋ）に示される保留アイコン表示領域２８１に表示された保留アイコンｈ１１，ｈ１２等］を表示することで保留数を報知可能であり、
予告アイコンが表示される表示領域（以下、「第一の表示領域［例えば、図３７（８ｋ）に示す予告アイコン表示領域２８５等］」という。）に保留アイコンが表示されることがない、
ことを特徴とする遊技台。』
についても説明した。
また、『  保留アイコンが表示される表示領域（以下、「第二の表示領域［例えば、図３７（８ｋ）に示す保留アイコン表示領域２８１等］」という。）は、前記第一の表示領域から離間した表示領域である［例えば、図３７（８ｋ）に示すように、保留アイコン表示領域２８１は、予告アイコン表示領域２８５から上下方向に離間して配置されている等］、
ことを特徴とする遊技台。』
についても説明した。
また、『  前記第一の表示領域は、装飾図柄の確定表示が表示される表示領域（以下、「第三の表示領域［例えば、図３７（８ｋ）に示す装飾図柄が変動表示している領域等］」という。）より上方に配置された表示領域であり［例えば、図３７（８ｋ）に示すように、予告アイコン表示領域２８５は、装飾図柄が変動表示している領域よりも上方に配置されている等］、
前記第二の表示領域は、前記第三の表示領域よりも下方に配置された表示領域である［例えば、図３７（８ｋ）に示すように、保留アイコン表示領域２８１は、装飾図柄が変動表示している領域よりも下方に配置されている等］、
ことを特徴とする遊技台。』
についても説明した。
また、『  一の装飾図柄の変動表示（以下、「或る装飾図柄の変動表示」という。）において、複数の予告アイコンが表示されている場合がある［例えば、図２０（１９）に示すように、装飾図柄の変動表示中に複数の予告アイコンが予告アイコン表示領域２８５に表示されている等］、
ことを特徴とする遊技台。』
についても説明した。
また、『  前記或る装飾図柄の変動表示において、複数の予告アイコンが消化される場合がある［例えば、図２０（２３）〜図２３（６１）に示すように、１回の装飾図柄の変動表示中に複数の予告アイコンが消化されている等］、
ことを特徴とする遊技台。』
についても説明した。
また、『  前記或る装飾図柄の変動表示において、複数の予告アイコンのうちの一の予告アイコンのみが消化される場合がある［例えば、図２８（Ａａ）〜同図（Ａｂ）に示すように、複数の予告アイコンのうちの手裏剣の予告アイコンＩ７が消化された後、装飾図柄がはずれの組み合わせで停止表示される等］、
ことを特徴とする遊技台。』
についても説明した。
また、『  予告アイコンが消化されると種類に応じた演出が開始される場合がある［例えば、図２０（２３）〜図２１（３２）に示すように、帽子の予告アイコンＩ６が消化されると疑似連演出が開始される等］、
ことを特徴とする遊技台。』
についても説明した。
また、『  前記遊技台は、ぱちんこ機［例えば、パチンコ機１００等］である、
ことを特徴とする遊技台。』
についても説明した。